(57)【要約】  Ｗ−ＣＤＭＡ受信機において共通パイロットチャンネル（ＣＰＩＣＨ）の信号対干渉プラスノイズ比（ＳＩＮＲ）を推定するための方法およびシステム。ＳＩＮＲ推定は、チップレベルフィルタリングとその後のＣＰＩＣＨチャネルの逆拡散の後に実施される。時空送信ダイバーシティの場合、データチャネル時空変換を模倣すべく、ＣＰＩＣＨチャネル上で仮想時空復号が用いられる。推定されたＳＩＮＲは、ユーザ機器がノードＢに対して自身のチャネル品質指標を報告するために使用可能である。
2007526709.tif 000002
【特許請求の範囲】
【請求項１】
受信したチップをチップレベルフィルタリングする等化段を備えるＷ−ＣＤＭＡ受信機にて共通パイロットチャネル（ＣＰＩＣＨ）内の干渉を推定する方法において、
前記チップレベルフィルタリング後に前記ＣＰＩＣＨチャネルを逆拡散し、および
少なくとも部分的に逆拡散ＣＰＩＣＨシンボルから信号対干渉比を推定する、ことを特徴とする方法。
【請求項２】
前記Ｗ−ＣＤＭＡ受信機が、単一アンテナ送信による送信機を有する通信システムにおいて使用するためのものであることを特徴とする請求項１に記載の方法。
【請求項３】
前記Ｗ−ＣＤＭＡ受信機が、時空送信ダイバーシティ送信による送信機を有する通信システムにおいて使用するためのものであることを特徴とする請求項１に記載の方法。
【請求項４】
仮想時空復号が、データチャネル時空変換を模倣するために、ＣＰＩＣＨチャネル上で使用されることを特徴とする請求項３に記載の方法。
【請求項５】
前記受信したチップが、チップレベルでオーバーサンプリングされることを特徴とする請求項３に記載の方法。
【請求項６】
受信したチップをチップレベルフィルタリングする等化段と、
前記チップレベルフィルタリング後、共通パイロットチャネル（ＣＰＩＣＨ）を逆拡散する逆拡散モジュールと、
少なくとも部分的に逆拡散ＣＰＩＣＨシンボルから信号対干渉比を推定する推定モジュールと、
を含むことを特徴とする通信システム用の受信機。
【請求項７】
前記推定された信号対干渉比は、前記通信システムにおいて、ユーザ機器がそのチャネル品質指標（ＣＱＩ）を報告するために使用するためのものであることを特徴とする請求項６に記載の受信機。
【請求項８】
前記通信システムが、単一アンテナ送信による送信機を含むことを特徴とする請求項６に記載の受信機。
【請求項９】
前記通信システムが、時空送信ダイバーシティ送信による送信機を含んでなることを特徴とする請求項６に記載の受信機。
【請求項１０】
前記受信したチップが、チップレベルでオーバーサンプリングされることを特徴とする請求項９に記載の受信機。
【請求項１１】
受信機と、
共通パイロットチャネル（ＣＰＩＣＨ）内にチップストリームを含む信号ストリームを前記受信機に伝送する送信機と、
を含んでなるＷ−ＣＤＭＡ通信システムにおいて、前記受信機が前記チップストリーム内で１またはそれ以上のチップを受信する少なくとも１つのアンテナを有し、前記受信機がさらに、
前記受信したチップをチップレベルフィルタリングする等化段と、
前記チップレベルフィルタリング後、前記共通パイロットチャネルを逆拡散する逆拡散モジュールと、
少なくとも部分的に逆拡散ＣＰＩＣＨシンボルから信号対干渉比を推定する推定モジュールと、
を含むことを特徴とするＷ−ＣＤＭＡ通信システム。
【請求項１２】
前記推定した信号対干渉比は、前記通信システムにおけるユーザ機器がそのチャネル品質指標（ＣＱＩ）を報告するのに使用するためのものであることを特徴とする請求項１１に記載の通信システム。
【請求項１３】
前記送信機が、前記信号ストリームを送信する単一アンテナを有することを特徴とする請求項１１に記載の通信システム。
【請求項１４】
前記送信機が、時空送信ダイバーシティを形成するために、前記信号ストリームを送信するための２本以上のアンテナを有することを特徴とする請求項１１に記載の通信システム。
【請求項１５】
前記受信したチップが、チップレベルでオーバーサンプリングされることを特徴とする請求項１４に記載の通信システム。
【請求項１６】
前記受信機における仮想時空復号が、データチャネル時空送信を模倣するために、ＣＰＩＣＨ上で用いられることを特徴とする請求項１４に記載の通信システム。
【請求項１７】
アンテナと、
通信信号を受信するために前記アンテナに接続され、該通信信号には共通パイロットチャネル（ＣＰＩＣＨ）中のチップストリーム内の１またはそれ以上のチップを表す送信信号が含まれ、受信した信号には受信チップが含まれる受信機と、を有する、通信システム内の通信デバイスであって、前記受信機が、
受信したチップをチップレベルフィルタリングする等化段と、
前記チップレベルフィルタリング後、共通パイロットチャネル（ＣＰＩＣＨ）を逆拡散する逆拡散モジュールと、
少なくとも部分的に逆拡散ＣＰＩＣＨシンボルから信号対干渉比を推定するための推定モジュールと、を有する受信機である、
通信システム内の通信デバイス。
【請求項１８】
前記推定した信号対干渉比は、前記通信システム内の別のコンポーネントに対してチャネル品質指標（ＣＱＩ）を報告するために使用されることを特徴とする請求項１７に記載の通信デバイス。
【請求項１９】
前記通信信号が、送信側で単一アンテナを用いて送信されることを特徴とする請求項１７に記載の通信デバイス。
【請求項２０】
前記通信信号が、時空送信ダイバーシティ送信態様で送信されることを特徴とする請求項１７に記載の通信デバイス。
【請求項２１】
携帯端末からなる請求項１７に記載の通信デバイス。
【発明の詳細な説明】
【技術分野】
【０００１】
本発明は、一般にＨＳ−ＤＳＣＨ（高速ダウンリンク共有チャネル）関連手順に関し、より特定的には、Ｗ−ＣＤＭＡ内でＵＥ（ユーザ機器）により導出され報告されるチャネル品質指標（ＣＱＩ）に関する。
【背景技術】
【０００２】
３ＧＰＰ  ＴＳ  ２５．２１４  Ｖ５．４．０（２００３−０３）「物理層手順（ＦＤＤ）」（リリース５）（以下、ＴＳ  ２５．２１４と称す）においては、ＵＥは、ＨＳ−ＤＳＣＨ速度適合化およびユーザスケジューリングのためにチャネル品質指標（ＣＱＩ）を報告する必要がある。特に、より上位の層からＵＥおよびノードＢに対してシグナリングされる物理層パラメータの一部には、以下のようなものである。
・  ＣＱＩフィードバックサイクルｋ；
・  ＣＱＩの繰返しファクタ；Ｎ cqi transmit；および
・  測定電力オフセットΓ。
【０００３】
ＣＱＩを報告するためのＵＥ手順の一部として、ＵＥはＣＱＩ値を導出し、ＣＱＩに割当てられたスロット内の次の（Ｎ cqi transmit−１）連続するＨＳ−ＤＰＣＣＨ（Dedicated Physical Control Channel専用物理制御チャネル）サブフレーム全体にわたり繰り返し、ｋ＞０となった場合のみに、ＣＱＩ値を伝送する。ＣＱＩ報告の目的で、ＵＥはＨＳ−ＰＤＳＣＨ（Physical Downlink Shared Channel物理ダウンリンク共有チャネル）のための受信した総電力が、電力オフセットΓと、受信されたＣＰＩＣＨ（Common PIlot CHannel共通パイロットチャンネル）電力と、基準電力調整の項との和であるものとする。ＣＱＩは、例えば、ＣＰＩＣＨのＳＩＮＲ（信号対干渉プラス雑音比）に基づくものであり得る。
【非特許文献１】３ＧＰＰ  ＴＳ  ２５．２１４  Ｖ５．４．０（２００３−０３）「物理層手順（ＦＤＤ）」（リリース５）
【非特許文献２】Krauss et al.、「チップシーケンスを回復するためのＣＤＭＡダウンリンクのための単純ＭＭＳＥ等化器：ゼロ強制およびレーキとの比較」、音響効果、音声および信号処理に関する２０００年ＩＥＥＥ国際会議議事録、第５巻、２０００年、ｐ２８６５〜ｐ２８６８
【発明の開示】
【発明が解決しようとする課題】
【０００４】
送信及び／又は受信ダイバーシティ処理および、レーキまたは等化器といった異なる受信機を用いてＣＲＩＣＨ ＳＮＩＲを推定する単純な方法を提供することが望ましくかつ有利である。
【課題を解決するための手段】
【０００５】
本発明は、ＳＩＳＯ（single-input single output単一入力単一出力）の場合においておよびＳＴＴＤ（space-time transmit diversity時空送信ダイバーシティ）の場合において、ＣＰＩＣＨ（共通パイロットチャネル）のＳＮＩＲ（信号対干渉プラス雑音比）を推定するためのＣＰＩＣＨ処理方法を提供する。ＳＴＴＤケースでは、受信したＣＰＩＣＨの電力は、送信アンテナの各々からの合成電力である。マルチ受信アンテナ処理が、ＣＰＩＣＨ処理と共に適用可能である。
【０００６】
かくして、本発明の第１の態様は、受信したチップをチップレベルフィルタリングする等化段を備えるＷ−ＣＤＭＡ受信機において共通パイロットチャネル（ＣＰＩＣＨ）内の干渉を推定する方法を提供する。該方法は、
前記チップレベルフィルタリング後に、ＣＰＩＣＨチャネルを逆拡散する段階と、
少なくとも部分的に逆拡散ＣＰＩＣＨ記号から信号対干渉比を推定する段階と、
からなる。
【０００７】
本発明によると、Ｗ−ＣＤＭＡ受信機は、単一アンテナ送信による送信機を有する通信システムにおいて使用するためのものである。該受信機はまた、時空送信ダイバーシティ送信による送信機を有する通信システムにおいて使用することもでき、ここで、仮想時空復号は、データチャネル時空変換を模倣（mimic）するためにＣＰＩＣＨチャネル上で使用され、受信したチップはチップレベルでオーバーサンプリングされる。
【０００８】
本発明の第２の態様は、通信システムにおいて使用する受信機を提供する。該受信機は、
受信したチップをチップレベルフィルタリングするための等化段と、
前記チップレベルフィルタリング後、共通パイロットチャネルを逆拡散するための逆拡散モジュールと、
少なくとも部分的に逆拡散ＣＰＩＣＨシンボルから信号対干渉比を推定するための推定モジュールと、
を含んでなる。
【０００９】
本発明によると、推定された信号対干渉比は、通信システムにおけるユーザ機器が自身のチャネル品質指標（ＣＱＩ）を報告するために使用するためのものである。
【００１０】
本発明によると、通信システムは、単一アンテナ送信による送信機または、時空送信ダイバーシティ送信による送信機を含んでなる。
【００１１】
本発明の第３の態様は、
受信機と、
共通パイロットチャネル（ＣＰＩＣＨ）内にチップストリームを含む信号ストリームを受信機に送信するための送信機と、
を含んでなるＷ−ＣＤＭＡ通信システムであって、受信機がチップストリーム内の１またはそれ以上のチップを受信するように少なくとも１つのアンテナを有し、受信機がさらに、
受信したチップをチップレベルフィルタリングするための等化段と、
前記チップレベルフィルタリング後、共通パイロットチャネルを逆拡散するための逆拡散モジュールと
少なくとも部分的に逆拡散ＣＰＩＣＨシンボルから信号対干渉比を推定するための推定モジュールと、
を含んでなる、Ｗ−ＣＤＭＡ通信システムを提供する。
【００１２】
本発明によると、送信機は、信号ストリームを伝送するための単一アンテナを有する。
【００１３】
あるいは、送信機は、時空送信ダイバーシティを形成するために、信号ストリームを送信する２本以上のアンテナを有し、データチャネル時空送信を模倣すべく、受信機での仮想時空復号が、ＣＰＩＣＨ上で用いられる。
【００１４】
本発明の第４の態様は、
アンテナと、
通信信号を受信するためにアンテナに接続される受信機であって、該通信信号には、共通パイロットチャンネル（ＣＰＩＣＨ）中のチップストリーム内の１またはそれ以上のチップを表す送信信号が含まれ、そして受信信号には受信したチップが含まれ、ここに該受信機は、
受信したチップをチップレベルフィルタリングするための等化段と、
前記チップレベルフィルタリング後、共通パイロットチャネル（ＣＰＩＣＨ）を逆拡散するための逆拡散モジュールと、
少なくとも部分的に逆拡散ＣＰＩＣＨシンボルから信号対干渉比を推定するための推定モジュールと、
を含んでなる、通信システム内の通信デバイスを提供する。
【００１５】
本発明によると、推定された信号対干渉比は、通信システムにおける別のコンポーネントに対してチャネル品質指標（ＣＱＩ）を報告するために使用される。
【００１６】
本発明によると、通信信号は、送信側より単一アンテナを用いて、または時空送信ダイバーシティ送信を用いて、伝送される。
【００１７】
通信デバイスは、携帯電話または携帯端末などであり得る。
【００１８】
本発明は、図１〜６を参照することによって一層明らかになるだろう。
【発明を実施するための最良の形態】
【００１９】
３ＧＰＰ  ＴＳ  ２５．２１４Ｖ５．４．０（２００３−０３）「物理層手順（ＦＤＤ）」（リリース５）によると、ＵＥは、ＨＳ−ＤＳＣＨ速度の適合化およびユーザスケジューリングのためのチャネル品質指標（ＣＱＩ）を報告する必要がある。ＣＱＩ報告を目的として、ＵＥは受信したＣＰＩＣＨ（共通パイロットチャネル）の電力に部分的に依存する。ＣＱＩは、例えばＣＰＩＣＨのＳＩＮＲ（信号対干渉プラス雑音比）に基づくことができる。本発明は、ＳＩＳＯ（単一入力単一出力）の場合、ＳＩＭＯ（単一入力マルチ出力）の場合およびＳＴＴＤ（時空送信ダイバーシティ）の場合において、ＳＩＮＲを推定するＣＰＩＣＨ処理方法を提供する。マルチ受信アンテナならびに等化器といった異なる受信機アルゴリズムを使用することが可能である。
【００２０】
ＳＩＮＲ推定を目的としたＳＩＳＯまたはＳＩＭＯシステムのためのシステムモデルは、図１に示されている。ＣＰＩＣＨシンボルパターンは、ＳＩＳＯについて〔Ａ、Ａ、…、Ａ〕である。ＳＴＴＤについては、２つのアンテナから送信されるまたは時間反転式に伝送されるような、伝送されたＣＰＩＣＨシンボル対は、
【００２１】
【数１】
2007526709.tif 000003
ここに
Ａ＝１＋ｊ
によって求められる。
【００２２】
図１に示すように、ＣＰＩＣＨシンボルは、ＣＰＩＣＨモデルによって拡散された後、チップストリームｓの一部としてアンテナＴｘにより送信側１００から伝送される。受信側２００において受信したチップｒは、次の式により求められる。
【００２３】
【数２】
2007526709.tif 000004
なお、式中Ｈはチャネルのインパルス応答であり、ｎは雑音の項である。インパルス応答のモデルは、図４の中で、チャネル係数行列内に示されている。行列Ｈでのｓの乗算は、チャネルのインパルス応答での畳み込みをモデリングする。行列Ｈ内では、係数ｈ’は図５に示されているように部分行列により与えられる。図４および５中、ＮRXおよびＮSはそれぞれ、Ｒｘアンテナの数およびチップのためのサンプル数であり、Ｌはインパルス応答の長さで、Ｌ’＝Ｌ／Ｎｓである。
【００２４】
数式２から、例えば線形チップ等化器を用いてチップｓ（波付きｓ＝下記式（５）参照）を推定できることがわかる。チップレベル処理のみが実施されるものとする。これには、等化器の雑音利得が独立して最適化されるという利点がある。ａは、Ａの列を最小にする雑音利得とし、ここで、
【数３】
2007526709.tif 000005
であり、これは修正された共分数行列（covariance matrix）であり、
【数４】
2007526709.tif 000006
である。
【００２５】
従って、以下のように、数式２からチップ推定値を得ることができる。
【数５】
2007526709.tif 000007
【００２６】
かくして、例えば、ＭＭＳＥ（minimum mean-square-error最小平均２乗誤差）基準および線形チップ等化器またはいくつかの他の周知のアルゴリズムを用いることにより、フィルタ重みｗを得ることができる（Krauss et al.、「チップシーケンスを回復するためのＣＤＭＡダウンリンクのための単純ＭＭＳＥ等化器：ゼロ強制およびレーキとの比較」、音響効果、音声および信号処理に関する２０００年ＩＥＥＥ国際会議議事録、第５巻、２０００年、ｐ２８６５〜ｐ２８６８を参照）。しかしながら、適応アルゴリズムもまた使用可能である。さらに、アルゴリズムが線形である必要はないということにも留意すべきである。
【００２７】
チップ推定値ｓ（波付きｓ＝上記数式（５）の左辺参照）から、図１に示すように、ＣＰＩＣＨ逆拡散ブロックにより信号を逆拡散することによって、ＣＰＩＣＨシンボルｄを抽出することができる。図１に示すように、等化段での、受信機チップレベルフィルタリングおよびチャネルの合成を、仮想チャネルと見ることができる。従来のシグナルレベルＳＩＮＲ推定アルゴリズムのようなＳＩＮＲ推定が、当該技術において知られている。かくのとおりＳＩＮＲは、本発明の一部ではない。しかしながら、ＳＩＮＲは、逆拡散ＣＰＩＣＨシンボルに関係する項を少なくても含んでいる。
【００２８】
ＳＴＴＤの場合において、受信したＣＰＩＣＨの電力は、送信アンテナの各々からの合成電力である。受信側２００’において受信したチップ（またはサンプル）は、Ｓ1およびＳ2をＴｘアンテナ１および２から送信されたチップストリームとして、
【数６】
2007526709.tif 000008
により求められる。チップストリームは、物理層仕様に従った、データのシンボルレベルＳＴＴＤ符号化を通して得られる。数式（６）から、線形フィルタｗ1およびｗ2を使用して、チップ対（波付Ｓ1および波付Ｓ2＝数式（８）の左辺参照）を推定できるということがわかる。その係数は、合同でまたは独立して解くことができる。例として、ａ1がＡ1の列を最小にする雑音利得であり、ａ2がＡ2のそれであるとする。なおここで、
【数７】
2007526709.tif 000009
である。
【００２９】
従って、次のようになる。
【数８】
2007526709.tif 000010
チップ対が時間整列（time aligned）されていない可能性があることに留意すべきである。
【００３０】
ＭＩＭＯチャネルモデルと受信機フィルタとの合成システムは、図２および３に示されている。図３では、係数ａ1およびａ2は実数であり、ｂ1およびｂ2は複素数である。係数ａ1、ａ2およびｂ1、ｂ2は、等化器係数をチャネルプロファイルで畳み込むことにより計算できる。上述のように、Ｒｘアンテナはオーバーサンプリングとして取扱われる。これらはシンボル周期全体にわたり一定とすることができるため、逆拡散が重みに影響を及ぼすことはない。
【００３１】
図３に示されているように、マルチパスチャネルおよび受信機フィルタ対を仮想２×２チャネルと見ることができるならば、このとき受信されたシンボル対は、次のようになる。
【００３２】
【数９】
2007526709.tif 000011
【００３３】
Ａが仮想係数の一部であるとし、ＳＴＴＤ符号化複素シンボルの虚数部がゼロであるとした場合、送信シンボルは単純に１である。上記数式（９）は、ｓ1＝ｓ2＝１で次の式（１０）と等価である。
【００３４】
【数１０】
2007526709.tif 000012
【００３５】
数式（１０）より、ＣＰＩＣＨの時空復号が、連係する物理チャネル上に現われる特性と同じＳＩＮＲ特性を示すということがわかる。最終的に、シンボルパターンを〔１，１，…，１〕とすることにより、あらゆるシンボルレベルＳＩＳＯ ＳＩＮＲ推定方法を使用することができ、そしてＣＱＩ報告を生成するためにあらゆる従来のアルゴリズムを使用することができる。また、等化器アルゴリズムは上述したものと異なるものであり得るということにも留意すべきである。
【００３６】
ＣＰＩＣＨ信号により、逆拡散信号は、
【数１１】
2007526709.tif 000013
であり、等価的に
【数１２】
2007526709.tif 000014
であり、ここにｚ1およびｚ2＝１である。Ａ*による左乗算で、次の式が得られる。
【数１３】
2007526709.tif 000015
【００３７】
データチャネル信号により、データチャネルの逆拡散の後の受信ＳＴＴＤ符号化シンボルは以下のとおりである。
【数１４】
2007526709.tif 000016
数式（１４）中、〔χ0、χ1〕は送信データシンボル対であり、残留シンボル間干渉は省略される。
【００３８】
さらに、ｂ1＝ｂ2*であるならば、データチャネルについてのＳＴＴＤ合成信号は
【数１５】
2007526709.tif 000017
であり、ＣＰＩＣＨまたは時間反転のためのＳＴＴＤ合成信号は、
【数１６】
2007526709.tif 000018
である。上記数式（１５）および数式（１６）から、符号化されたシンボルのダイバーシティ順序が同じであることがわかる。時空復号化ＣＰＩＣＨは、データチャネルと同じＳＩＮＲ特性を示す。かくして、データチャネル時空変換を模倣するために、ＣＰＩＣＨチャネル上において仮想時空復号を使用することが可能である。
【００３９】
要約すると、本発明は、チャネルと受信機フィルタとが、仮想チャネルとして合成されたＳＩＮＲを推定するＣＰＩＣＨ処理方法を提供する。特にＣＰＩＣＨチャネルは、チップレベル等化の後で逆拡散され、次に従来の種々の方法を用いてＳＩＮＲ推定が行われる。このアプローチによると、ＳＩＮＲは、連携するチャネルのＳＩＮＲに似ている。このアプローチの不利点は、等化によって生ずる付加的な遅延である。しかしながら、この遅延は、ＣＱＩ報告によってひき起こされる比較的大きな遅延に対してみれば、小さなものとみなすことができる。
【００４０】
伝送方法としてＳＴＴＤが用いられるならば、ＣＰＩＣＨ ＳＩＮＲを推定すべく、ＣＰＩＣＨチャネルに対し仮想時空復号が用いられる。
【００４１】
本発明はＳＩＳＯおよびＳＩＭＯの場合に関して開示されてきたという点に留意すべきである。しかしながら、等化器内では空間オーバーサンプリングを使用できることから、受信アンテナの数は２本以上であり得る。
【００４２】
本発明は、Ｗ−ＣＤＭＡにおいてＵＥ（ユーザ機器）により導出および報告されたチャネル品質指標（ＣＱＩ）に関する。ＣＰＩＣＨのＳＩＮＲを推定するＣＰＩＣＨ処理方法を、Ｗ−ＣＤＭＡにおける他の物理チャネルに拡張させることが可能である。本発明に従いＷ−ＣＤＭＡのために使用可能な通信ネットワークの概略を示す図６に、ＵＥが示されている。本図に示すように、該ネットワークは、他のネットワークにもリンク可能なＵＭＴＳ基盤に接続される複数のノードＢからなる。該ネットワークはさらに、ノードＢと通信することができる複数の移動局１を含む。移動局１は、本発明に従って、ＳＩＮＲ推定のためのＣＰＩＣＨ処理をすることのできる受信機を有する携帯電話または携帯端末であり得る。受信機の一部は、図１および２に示すように、受信側２００および２００’に示されているような１またはそれ以上の受信機フィルタと、ＣＰＩＣＨ 逆拡散モジュールと、ＳＩＮＲ推定モジュールとを有する。
【００４３】
本発明は、その好ましい実施形態に関して記載してきたが、当業者であれば、本発明の範囲から外れることなく、その形態および細部における上述のおよびさまざまなその他の変更、削除および改変を行うことができるということを理解するであろう。
【図面の簡単な説明】
【００４４】
【図１】ＳＩＳＯ ＳＩＮＲ推定のためのＳＩＳＯシステム用のシステムモデルを示すブロック図である。
【図２】ＳＴＴＤ ＳＩＮＲ推定のためのＳＴＴＤシステム用のシステムモデルを示すブロック図である。
【図３】ＳＴＴＤのためのチャネルおよび等化器の応答を示す概略図である。
【図４】チャネルのインパルス応答のためのチャネル係数行列モデルを示す行列である。
【図５】インパルス応答のためのチャネル係数部分行列を示す行列である。
【図６】本発明によるＷ−ＣＤＭＡ通信のために使用可能な通信ネットワークの概略図である。
【図１】
2007526709.tif 000019
【図２】
2007526709.tif 000020
【図３】
2007526709.tif 000021
【図４】
2007526709.tif 000022
【図５】
2007526709.tif 000023
【図６】
2007526709.tif 000024
【国際調査報告】
2007526709.tif 000025
2007526709.tif 000026
2007526709.tif 000027